(57)【要約】【課題】電源スイッチがオフにされた場合における、液晶層に印加される電圧を最小にすることが可能な液晶装置を提供する。【解決手段】液晶装置は、複数の走査電極及び複数の信号電極と、走査線駆動回路と、信号線駆動回路と、制御部と、検出部と、を備える。複数の走査電極と複数の信号電極に交差する部分には、スイッチング素子及び液晶層が直列に接続される。検出部は、液晶装置の電源スイッチがオフにされたことを検出すると、制御部に検出信号を送信する。制御部は、検出信号を受信すると、複数の走査電極に印加される電位の極性が１フィールド期間毎に基準電位に対して反転するように走査線駆動回路を制御する。このようにすることで、互いに隣接する走査電極の走査電位の極性が異なったまま、電源を遮断することがなくなり、フリッカの発生を抑えることができる。【選択図】図７
2008181034.tif 000002
【特許請求の範囲】
【請求項１】
複数の走査電極、及び、複数の信号電極と、
前記複数の走査電極と前記複数の信号電極に交差する部分に直列に接続された、スイッチング素子及び液晶層と、
前記複数の走査電極に信号を供給する走査線駆動回路と、
前記複数の信号電極に信号を供給する信号線駆動回路と、
前記走査線駆動回路及び前記信号線駆動回路を制御する制御部と、
液晶装置の電源スイッチがオフにされたことを検出すると、前記制御部に検出信号を送信する検出部と、を備え、
前記制御部は、前記検出信号を受信すると、前記複数の走査電極に印加される電位の極性が１フィールド期間毎に基準電位に対して反転するように前記走査線駆動回路を制御することを特徴とする液晶装置。
【請求項２】
前記制御部は、前記検出信号を受信すると、前記複数の走査電極に印加される電位と前記複数の信号電極に印加される電位とを同電位に設定することを特徴とする請求項１に記載の液晶装置
【請求項３】
前記制御部は、前記検出信号を受信すると、前記複数の走査電極に印加される電位と前記複数の信号電極に印加される電位とをグランド電位に設定することを特徴とする請求項２に記載の液晶装置。
【請求項４】
前記制御部は、前記検出信号を受信すると、前記液晶層を挟む電極を接地することを特徴とする請求項３に記載の液晶装置。
【請求項５】
請求項１乃至４のいずれか一項に記載の液晶装置を表示部に備えることを特徴とする電子機器。
【請求項６】
複数の走査電極、及び、複数の信号電極と、
前記複数の走査電極と前記複数の信号電極に交差する部分に直列に接続された、スイッチング素子及び液晶層と、
前記複数の走査電極に信号を供給する走査線駆動回路と、
前記複数の信号電極に信号を供給する信号線駆動回路と、
前記走査線駆動回路及び前記信号線駆動回路を制御する制御部と、
液晶装置の電源スイッチがオフにされたことを検出すると、前記制御部に検出信号を送信する検出部と、を備えた液晶装置の駆動方法であって、
前記検出信号を受信した前記制御部が、前記複数の走査電極に印加される電位の極性が１フィールド期間毎に基準電位に対して反転するように前記走査線駆動回路を制御する工程を備えることを特徴とする液晶装置の駆動方法。
【発明の詳細な説明】
【技術分野】
【０００１】
本発明は、各種情報の表示に用いて好適な液晶装置に関する。
【背景技術】
【０００２】
二端子素子型アクティブ・マトリクス、あるいはＴＦＤ（Ｔｈｉｎ  Ｆｉｌｍ  Ｄｉｏｄｅ）と呼ばれる液晶装置においては、相互に対向する２枚の基板のうち、一方の基板に走査電極が、他方の基板に信号電極が形成され、両基板間に液晶層が封入される。そして、その液晶層と走査電極間あるいは液晶層と信号電極間には、電流−電圧特性が非線形な素子が介挿される。この非線形二端子素子としては、セラミックパリスタ、アモルファス・シリコンＰＮダイオード、ＭＩＭ（Ｍｅｔａｌ  ｉｎｓｕｌａｔｏｒ  Ｍｅｔａｌ）素子を用いた例などが知られている。
【０００３】
また、液晶装置の駆動方法としては、表示ムラを抑制するために、ライン反転駆動又はドット反転駆動が採用されている。ライン反転駆動とは、１ライン又は複数ライン毎に、液晶に印加される電圧の極性を反転する駆動であり、ドット反転駆動とは、隣り合うドット毎に、液晶に印加される電圧の極性を反転する駆動である。
【０００４】
このようなライン反転駆動やドット反転駆動が行われている液晶装置において、液晶装置の電源スイッチがオフにされ、液晶装置の電源が遮断された場合には、液晶装置の駆動が突然停止するため、一部の画素の液晶層には電圧が印加されたままとなる。これは、液晶層の液晶の特性を劣化させる原因となると共に、表示画面の焼付けやフリッカの原因ともなる。
【０００５】
特に、先に述べたＴＦＤと呼ばれる液晶装置においては、走査電極に印加される選択電圧が大きいため、電源スイッチがオフにされることによる液晶の特性の劣化が激しい。
【０００６】
下記の特許文献１には、電源スイッチのオフを検出した場合において、走査電極に供給する駆動電圧を徐々に降下させる技術が記載されている。
【０００７】
【特許文献１】特開平９−２６９４７６号公報
【発明の開示】
【発明が解決しようとする課題】
【０００８】
本発明は上記の点に鑑みてなされたものであり、電源スイッチがオフにされた場合における、走査電極及び信号電極に残留する残留電荷を最小にし、液晶層に印加される電圧を最小にすることが可能な液晶装置を提供することを課題とする。
【課題を解決するための手段】
【０００９】
本発明の１つの観点では、液晶装置は、複数の走査電極、及び、複数の信号電極と、前記複数の走査電極と前記複数の信号電極に交差する部分に直列に接続された、スイッチング素子及び液晶層と、前記複数の走査電極に信号を供給する走査線駆動回路と、前記複数の信号電極に信号を供給する信号線駆動回路と、前記走査線駆動回路及び前記信号線駆動回路を制御する制御部と、液晶装置の電源スイッチがオフにされたことを検出すると、前記制御部に検出信号を送信する検出部と、を備え、前記制御部は、前記検出信号を受信すると、前記複数の走査電極に印加される電位の極性が１フィールド期間毎に基準電位に対して反転するように前記走査線駆動回路を制御する。
【００１０】
上記の液晶装置は、複数の走査電極、及び、複数の信号電極と、走査線駆動回路と、信号線駆動回路と、制御部と、検出部と、を備える。前記複数の走査電極と前記複数の信号電極に交差する部分には、スイッチング素子及び液晶層が直列に接続される。ここで、スイッチング素子としては、例えば、非線形二端子素子が用いられる。非線形二端子素子としては、例えば、ＭＩＭ（Ｍｅｔａｌ  Ｉｎｓｕｌａｔｏｒ  Ｍｅｔａｌ）素子が挙げられる。前記走査線駆動回路は、前記複数の走査電極に信号を供給する。前記信号線駆動回路は、前記複数の信号電極に信号を供給する。前記制御部は、前記走査線駆動回路及び前記信号線駆動回路を制御する。前記検出部は、液晶装置の電源スイッチがオフにされたことを検出すると、前記制御部に検出信号を送信する。前記制御部は、前記検出信号を受信すると、前記複数の走査電極に印加される電位の極性が１フィールド期間毎に基準電位に対して反転するように前記走査線駆動回路を制御する。このようにすることで、互いに隣接する走査電極の走査電位の極性が異なったまま、電源を遮断することがなくなり、フリッカの発生を抑えることができる。
【００１１】
上記の液晶装置の他の一態様は、前記制御部は、前記検出信号を受信すると、前記複数の走査電極に印加される電位と前記複数の信号電極に印加される電位とを同電位に設定する。このようにすることで、電源遮断後において、液晶層に印加される電圧を抑えることができ、液晶の特性が悪化するのを抑えることができる。
【００１２】
上記の液晶装置の他の一態様は、前記制御部は、前記検出信号を受信すると、前記複数の走査電極に印加される電位と前記複数の信号電極に印加される電位とをグランド電位に設定する。これにより、走査電極及び信号電極に残留する残留電荷を最小にすることができ、液晶層に印加される電圧を最小にすることができる。
【００１３】
上記の液晶装置の好適な実施例は、前記制御部は、前記検出信号を受信すると、前記液晶層を挟む電極を接地する。
【００１４】
本発明の他の観点では、上記の液晶装置を表示部に備えることを特徴とする電子機器を構成することができる。
【００１５】
本発明の更なる他の観点では、複数の走査電極、及び、複数の信号電極と、前記複数の走査電極と前記複数の信号電極に交差する部分に直列に接続された、スイッチング素子及び液晶層と、前記複数の走査電極に信号を供給する走査線駆動回路と、前記複数の信号電極に信号を供給する信号線駆動回路と、前記走査線駆動回路及び前記信号線駆動回路を制御する制御部と、液晶装置の電源スイッチがオフにされたことを検出すると、前記制御部に検出信号を送信する検出部と、を備えた液晶装置の駆動方法は、前記検出信号を受信した前記制御部が、前記複数の走査電極に印加される電位の極性が１フィールド期間毎に基準電位に対して反転するように前記走査線駆動回路を制御する工程を備える。この液晶装置の駆動方法によっても、互いに隣接する走査電極の走査電位の極性が異なったまま、電源を遮断することがなくなり、フリッカの発生を抑えることができる。
【発明を実施するための最良の形態】
【００１６】
以下、図面を参照して本発明の好適な実施の形態について説明する。
【００１７】
［液晶装置］
図１に、本発明の各実施形態にかかる液晶装置の概略構成を示す。図１（ａ）は、非線形二端素子としてＭＩＭ（Ｍｅｔａｌ  Ｉｎｓｕｌａｔｏｒ  Ｍｅｔａｌ）素子を用いたＴＦＤ液晶装置の１画素に相当する部分の構成を示す。図示のように、液晶装置１０１は、２枚のガラス基板１ａ及び１ｂの間に、図示しないシール材などを介して液晶層１８が挟持されてなる。液晶の駆動に関しては、２枚のガラス基板のうち、一方のガラス基板１ａには走査電極１２が形成され、他方のガラス基板１ｂには信号電極１４が形成される。また、ガラス基板１ｂには、表示画素に対応する画素電極３が形成され、さらに液晶層１８と信号電極１４との間には電流−電圧特性が非線形な非線形二端子素子２０が形成される。本例では、走査電極１２、画素電極３などはＩＴＯ（Ｉｎｄｉｕｍ−Ｔｉｎ  Ｏｘｉｄｅ）により構成され、非線形二端子素子はＭＩＭにより構成されている。
【００１８】
図１（ｂ）に走査電極１２と信号電極１４との関係を示す。なお、図１（ｂ）は液晶装置１０１の表示領域の一部分を上方から観察した場合の走査電極１２と信号電極１４の位置関係を示す。走査電極１２は図１（ｂ）に示すように複数の短冊状に形成されている。１つの走査電極１２が１つの走査線（１ライン）に対応し、走査電極１２と信号電極１４が交差した領域に１つの画素が形成される。
【００１９】
図２に、液晶装置１０１の駆動回路の構成を示す。図２において、液晶装置１０１の駆動回路は、走査信号駆動回路１００と、データ信号駆動回路１１０と、制御部５０と、電源オフ検出器５５と、タイミング信号生成回路６０と、変換回路７０と、を備える。タイミング信号生成回路６０は、図示の各構成要素を駆動するための各種タイミング信号を出力する。制御部５０は、電源オフ検出器５５からの検出信号を基に、走査信号駆動回路１００と、データ信号駆動回路１１０と、を制御する。電源オフ検出器５５は、液晶装置１０１の電源スイッチがオフにされたことを検出し、検出信号を制御部５０へ送信する。
【００２０】
液晶装置１０１は、行方向に延在して設けられた複数の走査電極１２と、列方向に延在して設けられた複数の信号電極１４とを備える。これら電極１２及び１４の各交差部分においては、非線形二端子素子２０と液晶層１８とが直列に接続され、これによって各交差部分に画素が形成されている。以上の構成要素により、液晶装置１０１が構成されている。非線形二端子素子２０は、例えば図３に示すような電流−電圧特性を有している。図３においては、電圧が零電圧付近では電流はほとんど流れないが、電圧の絶対値が閾値電圧Ｖｔｈを超えると、電圧の増加とともに電流が急増する。
【００２１】
走査信号駆動回路１００は、走査電極１２に対して走査電位ＶＡを印加し、データ信号駆動回路１１０は、信号電極１４に対して信号電位ＶＢを印加する。電位ＶＡ及びＶＢについて、図４を参照して説明する。まず、走査電極１２には、図４（ａ）に示すような走査電位ＶＡが印加される。ライン選択期間Ｔ毎に、各走査電極１２は順次選択され、ある共通電位ＶＧＮＤに対して±Ｖｓｅｌなる電位差、即ち電圧を持ついずれかの電位が印加される。なお、この電圧Ｖｓｅｌを選択電圧と呼ぶ。そして、選択された後には、共通電位ＶＧＮＤに対して±Ｖｈｌｄなる電圧を持ついずれかの電位が印加される。ここで、選択時の電位がＶＧＮＤ＋ＶｓｅｌのときにはＶＧＮＤ＋Ｖｈｌｄの電位が印加され、選択時の電位がＶＧＮＤ−ＶｓｅｌのときにはＶＧＮＤ−Ｖｈｌｄの電位が印加される。なお、この電圧Ｖｈｌｄを保持電圧と呼ぶ。また、全ての走査電極１２が一巡して選択され終わる期間をフィールド期間といい、次のフィールド期間では、先のフィールド期間とは逆特性の選択電圧を用いて順次、走査電極１２を選択していく。
【００２２】
一方、信号電極１４に対しては、図４（ｂ）に示すように、共通電位ＶＧＮＤに対して±Ｖｓｉｇなる電圧を持ついずれかの電位が印加される。ここで、ある選択期間に選択された走査電極１２に印加する電位がＶＧＮＤ＋Ｖｓｅｌの場合に、ＶＧＮＤ−Ｖｓｉｇをオン電位Ｖｏｎ、ＶＧＮＤ＋Ｖｓｉｇをオフ電位Ｖｏｆｆとして用いる。また、ある選択期間に選択された走査電極１２に印加する電位がＶＧＮＤ−Ｖｓｅｌの場合に、ＶＧＮＤ＋Ｖｓｉｇをオン電位Ｖｏｎ、ＶＧＮＤ−Ｖｓｉｇをオフ電位Ｖｏｆｆとして用いる。
【００２３】
即ち、信号電位ＶＢの各ライン選択期間Ｔ内の波形は、当該信号電極１４に係る列における各画素の階調に応じて設定されるが、まず、信号電位ＶＢは、各ライン選択期間Ｔ毎にオン区間とオフ区間に分割され、オン区間においてはオン電位Ｖｏｎに、オフ区間においてはオフ電位Ｖｏｆｆに設定される。即ち、信号電位ＶＢは、階調値に応じてパルス幅変調される。そして、画素に与えるべき階調が高くなるほど（ノーマリーホワイトモードでは暗くなるほど）、オン区間の占める割合が大きく設定される。
【００２４】
次に、走査電極１２及び信号電極１４の電極間電圧ＶＡＢを図４（ｃ）の実線で示す。図示のように、電極間電圧ＶＡＢの絶対値は、当該画素の選択期間において高くなることがわかる。また、液晶層１８に印加される液晶層電圧ＶＬＣは、図４（ｃ）のハッチングで示すようになる。液層層電圧ＶＬＣが変化する際には、液晶層１８が形成する容量を充放電しなければならないため、液晶層電圧ＶＬＣは電極間電圧ＶＡＢに対して過渡応答的に変化する。なお、図４（ｃ）において電圧ＶＮＬは電極間電圧ＶＡＢと液層層電圧ＶＬＣとの差、即ち非線形二端子素子２０の端子電圧である。
【００２５】
各実施形態における信号電位ＶＢの一例を図５（ａ）に示す。図５（ａ）において、ライン選択期間Ｔはオン区間とオフ区間により構成される。また、走査電位ＶＡは図４（ａ）に示すようであるから、電極間電圧ＶＡＢ及び液層層電圧ＶＬＣは図５（ｂ）に示すようになる。
【００２６】
変換回路７０は、外部から入力されたカラー画像信号Ｒ、Ｇ、Ｂをデータ信号ＤＲ、ＤＧ、ＤＢに変換する。具体的には、変換回路７０は、カラー画像信号Ｒ、Ｇ、Ｂが供給されると、これをラインバッファ（図示せず）に格納し、カラー画像信号Ｒ、Ｇ、Ｂをデータ信号ＤＲ、ＤＧ、ＤＢに変換し、データ信号駆動回路１１０に供給する。ここで、カラー画像信号Ｒ、Ｇ、Ｂの各色の階調値は、「０」〜「１５」の範囲の値であり、これらが図６の表に従って、ライン選択期間Ｔ内の階調値に変換される。
【００２７】
また、変換回路７０は、データ信号駆動回路１１０に対してクロック信号ＧＣＰ（Ｇｒａｙ  Ｃｏｎｔｒｏｌ  Ｐｕｌｓｅ）を供給する。クロック信号ＧＣＰの生成方法について説明する。変換回路７０においては、各ライン選択期間Ｔを「２５６」分周する基本クロック信号が生成される。次に、この基本クロック信号を８ビット（最大２５５）のカウンタでカウントし、そのカウント結果が所定値になるとクロック信号ＧＣＰの１パルスが出力される。この「所定値」が図６に示す階調値（０、１３、２６、・・・２５５）に対応する。なお、クロック信号ＧＣＰの１パルスが出力されるカウンタ値は液晶装置１０１の階調特性に応じて直線性が保たれるように設定される。
【００２８】
図６において、階調値が「０」であればオン区間の幅も「０」であり、当該ライン選択期間の全区間がオフ区間となる。そして、階調値が高くなるほどオン区間の占める割合（基本クロック信号の数）が多くなる。そして、階調値１４において、オン区間は「２５５」に設定され、当該ライン選択期間の全区間がオン区間となる。
【００２９】
以上に述べたのが、各実施形態にかかる液晶装置の構成及び基本動作である。これを基にして、以下において、本発明の各実施形態について説明する。
【００３０】
[第１実施形態]
次に、本発明の第１実施形態について述べる。図７〜図８は、本発明の第１実施形態に係る走査電位ＶＡ及び信号電位ＶＢを示す駆動シーケンス図である。図７〜図８に示す例では、共通電位は、グランド電位（ＶＧＮＤ）よりも高い位置（Ｖｃｏｍ）にあるとする。また、走査電極１２の保持電圧と信号電極１４の選択電圧は、どちらもＶｄａｔａであるとする。
【００３１】
図７は、通常駆動時における、走査電位ＶＡ及び信号電位ＶＢを示している。図７（ａ）は、１番目の走査電極１２の走査電位ＶＡを示し、図７（ｂ）は、２番目の走査電極１２の走査電位ＶＡを示している。このとき、図７（ａ）及び図７（ｂ）より分かるように、１フィールド期間において、１番目の走査電極１２の走査電位ＶＡが、共通電位に対して正の電位となる場合には、２番目の走査電極１２の走査電位ＶＡが、共通電位に対して負の電位となる。また、１フィールド期間において、１番目の走査電極１２の走査電位ＶＡが、共通電位に対して負の電位となるときは、２番目の走査電極１２の走査電位ＶＡが、共通電位に対して正の電位となる。なお、図７（ｃ）は、信号電位ＶＢを示している。
【００３２】
第１実施形態に係る液晶装置１０１では、１フィールド期間において、互いに隣接する走査電極１２に印加される電位は、基準電位に対して極性が互いに反転している。つまり、第１実施形態に係る液晶装置１０１では、いわゆるライン反転駆動が行われている。ライン反転駆動では、このように、奇数番目の走査電極に印加される電位が、共通電位に対して正の電位となる場合には、偶数番目の走査電極に印加される電位は、共通電位に対して負の電位となる。一方、奇数番目の走査電極に印加される電位が、共通電位に対して負の電位となる場合には、偶数番目の走査電極に印加される電位は、共通電位に対して正の電位となる。
【００３３】
この図７に示すようなライン反転駆動が行われている状態で、液晶装置１０１の電源が遮断された場合、互いに隣接する走査電極１２に印加される電位は、基準電位に対して極性が反転したままとなる。そのため、奇数番目の走査電極１２と偶数番目の走査電極１２とで液晶層１８の液晶の配向方向が異なったままとなり、液晶の特性が悪化することがある。この場合には、表示画面上に縞状の模様として焼付けが発生することがある。このような焼付けは、フリッカの発生の原因となる。
【００３４】
図８は、電源スイッチがオフにされた終了処理時における、走査電位ＶＡ及び信号電位ＶＢを示している。
【００３５】
図８（ａ）は、１番目の走査電極１２の走査電位ＶＡを示し、図８（ｂ）は、２番目の走査電極１２の走査電位ＶＡを示している。図８（ｃ）は、信号電位ＶＢを示している。図８（ａ）及び図８（ｂ）より分かるように、図８に示す例では、１フィールド期間において、偶数番目の走査電極１２の走査電位ＶＡは、奇数番目の走査電極１２の走査電位ＶＡと同様に、共通電位に対して正の電位となる。即ち、終了処理時には、第１実施形態に係る液晶装置１０１は、液晶の駆動方法として、ライン反転駆動からフレーム反転駆動へと変わる。このようにすることで、互いに隣接する走査電極１２の走査電位ＶＡの極性が異なったまま、電源を遮断することがなくなり、フリッカの発生を抑えることができる。
【００３６】
また、図８に示す例では、ライン反転駆動からフレーム反転駆動へと変わった後、信号電位ＶＢは、電位Ｖｄａｔａに保持され、全ての走査電極１２の走査電位ＶＡも、順次、電位Ｖｄａｔａに保持される。即ち、終了処理時には、ライン反転駆動からフレーム反転駆動へと変わった後、全ての走査電極１２の走査電位ＶＡは、順次、信号電極１４の信号電位ＶＢと同電位にされる。つまり、終了時には駆動形式にかかわらず強制的にフレーム反転になり、全走査線が同極性になる。このようにすることで、電源遮断後において、液晶層に印加される電圧を抑えることができ、液晶の特性が悪化するのを抑えることができる。
【００３７】
（終了制御処理）
次に、第１実施形態に係る液晶装置の終了制御処理の具体的な方法について、図９に示すフローチャートを基に説明する。図９は、液晶装置の終了制御処理を示すフローチャートである。
【００３８】
制御部５０は、液晶装置１０１の電源スイッチがオフにされたことを、電源オフ検出器５５からの検出信号を基に判定し（ステップＳ１１）、制御部５０は、液晶装置１０１の電源がオフにされていないと判定した場合には（ステップＳ１１：Ｎｏ）、ステップＳ１１の処理を繰り返す。一方、ステップＳ１１において、制御部５０は、液晶装置１０１の電源スイッチがオフにされたと判定した場合には（ステップＳ１１：Ｙｅｓ）、走査信号駆動回路１００に対し、制御信号を送信することで、液晶装置１０１の駆動をライン反転駆動からフレーム反転駆動へと変換する（ステップＳ１２）。
【００３９】
ステップＳ１３において、制御部５０は、データ信号駆動回路１１０に対し、制御信号を送信することにより、信号電極１４の信号電位ＶＢを、時間に対し一定に保持する。また、制御部５０は、走査信号駆動回路１００に対し、制御信号を送信することにより、全ての走査電極１２の走査電位ＶＡを、順次、信号電極１４の信号電位ＶＢと同電位に設定する。そして、ステップＳ１４において、制御部５０は、液晶装置１０１の電源を遮断した後（ステップＳ１４）、処理を終了する。
【００４０】
以上に述べたようにすることで、電源遮断後において、液晶層に印加される電圧を抑えることができ、液晶の特性が悪化するのを抑えることができる。
【００４１】
なお、第１実施形態では、制御部５０は、液晶装置１０１の駆動をライン反転駆動からフレーム反転駆動へと変換するとしているが、これに限られるものではない。代わりに、液晶装置１０１の通常駆動時の駆動がドット反転駆動となっている場合には、液晶装置１０１の駆動を、ドット反転駆動からフレーム反転駆動へと変換するとしてもよい。
【００４２】
[第２実施形態]
次に本発明の第２実施形態について説明する。図１０は、本発明の第２実施形態に係る液晶装置１０１における走査電位ＶＡ及び信号電位ＶＢの駆動シーケンス図を示している。図１０は、終了処理時における、走査電位ＶＡ及び信号電位ＶＢの駆動シーケンス図を示している。
【００４３】
図１０（ａ）は、１番目の走査電極１２の走査電位ＶＡを示し、図１０（ｂ）は、２番目の走査電極１２の走査電位ＶＡを示している。図１０（ｃ）は、信号電極１４の信号電位ＶＢを示している。図１０（ａ）〜図１０（ｃ）より分かるように、図１０に示す例では、制御部５０は、ライン反転駆動からフレーム反転駆動へと変換した後、信号電極１４の信号電位ＶＢを、グランド電位ＶＧＮＤに設定すると共に、全ての走査電極１２の走査電位ＶＡを、順次、グランド電位ＶＧＮＤに設定する。即ち、第２実施形態は、第１実施形態の図９のフローチャートにおけるステップＳ１３の処理の際に、即ち、走査電極１２の走査電位ＶＡを、順次、信号電極１４の信号電位ＶＢと同電位に設定する際に、当該同電位の値を、グランド電位ＶＧＮＤに設定するものである。
【００４４】
このようにすることで、走査電極１２及び信号電極１４に残留する残留電荷を最小にすることができ、液晶層に印加される電圧を最小にすることができるので、第１実施形態の場合と比較して、液晶の特性が悪化するのをより抑えることができる。
【００４５】
ここで、理想的には、液晶層１８を挟む電極、即ち、ここでは、走査電極１２及び画素電極３が、終了処理時に接地されるのが望ましい。なぜなら、これにより、電源遮断後において、液晶層１８を挟む電極に残留している電荷を完全に外部へ逃がすことができ、液晶層に印加される電圧を発生させないようにすることができるからである。
【００４６】
図１１は、走査電極１２及び画素電極３が接地されるときの模式図を示している。図１１では、走査電極１２及び画素電極３に対し、液晶装置１０１の駆動のための電源４１の他、スイッチ４２が並列に接続されている。走査電極１２及び画素電極３は、スイッチ４２を介して接地されている。スイッチ４２が入ったときには、走査電極１２及び画素電極３が接地される状態となり、スイッチ４２が入らないときには、走査電極１２及び画素電極３が接地されない状態となる。スイッチ４２は、制御部５０によって切り替えられる。制御部５０は、終了処理時には、スイッチ４２を入れることで、電源遮断後において、液晶層１８を挟む電極に残留している電荷を外部へ逃がすことができる。
【００４７】
このようにすることで、電源遮断後において、液晶層に印加される電圧を発生させないようにすることができ、液晶の特性が悪化するのをより抑えることができる。
【００４８】
[変形例]
上述した各実施形態では、本発明をＴＦＤ液晶装置に用いた例について述べたが、本発明はこれに限られない。例えば、ライン反転駆動やドット反転駆動が行われる、ＴＦＴ（Ｔｈｉｎ  Ｆｉｌｍ  Ｔｒａｎｓｉｓｔｏｒ）などの三端子素子を用いた液晶装置に対して、本発明を適用するとしても、上述したのと同様の効果を得ることができるのは言うまでもない。
【００４９】
[電子機器]
次に、上述した各実施形態に係る液晶装置１０１を適用可能な電子機器の具体例について図１２を参照して説明する。
【００５０】
まず、各実施形態に係る液晶装置１０１を、可搬型のパーソナルコンピュータ（いわゆるノート型パソコン）の表示部に適用した例について説明する。図１２（ａ）は、このパーソナルコンピュータの構成を示す斜視図である。同図に示すように、パーソナルコンピュータ７１０は、キーボード７１１を備えた本体部７１２と、本発明に係る液晶装置１０１を適用した表示部７１３とを備えている。
【００５１】
続いて、各実施形態に係る液晶装置１０１を、携帯電話機の表示部に適用した例について説明する。図１２（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０１を適用した表示部７２４を備える。
【００５２】
なお、各実施形態に係る液晶装置１０１を適用可能な電子機器としては、図１２（ａ）に示したパーソナルコンピュータや図１２（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００５３】
【図１】本発明の実施例による液晶装置の構造を示す。
【図２】液晶装置の駆動回路例を示す。
【図３】非線形二端子素子の特性図である。
【図４】液晶装置における各部の波形図である。
【図５】信号線電位及び電圧の波形図である。
【図６】階調値とオン区間のパルス幅との関係を示す図表である。
【図７】通常駆動時における走査電位及び信号電位の駆動シーケンス図である。
【図８】終了処理時における走査電位及び信号電位の駆動シーケンス図である。
【図９】第１実施形態に係る液晶装置の終了制御処理を示すフローチャートである。
【図１０】終了処理時における走査電位及び信号電位の駆動シーケンス図である。
【図１１】走査電極及び画素電極が接地されるときの模式図である。
【図１２】各実施形態の液晶装置を適用した電子機器の例を示す図である。
【符号の説明】
【００５４】
１ａ、１ｂ  ガラス基板、  ３  画素電極、  ５  非線形二端子素子、  １３  液晶層、  １２  走査電極、  １４  信号電極、  ５０  制御部、  ５５  電源オフ検出器、  １００  走査信号駆動回路、  １０１  液晶装置、  １１０  データ信号駆動回路
【図１】
2008181034.tif 000003
【図２】
2008181034.tif 000004
【図３】
2008181034.tif 000005
【図４】
2008181034.tif 000006
【図５】
2008181034.tif 000007
【図６】
2008181034.tif 000008
【図７】
2008181034.tif 000009
【図８】
2008181034.tif 000010
【図９】
2008181034.tif 000011
【図１０】
2008181034.tif 000012
【図１１】
2008181034.tif 000013
【図１２】
2008181034.tif 000014